(57)【要約】 
【課題】  従来の装置の形状のままで、硬貨払出装置によって投げ出された硬貨が側板等に寄りかかって回転し滞留することを防ぐことを可能とする硬貨搬出装置を提供する。
【解決手段】  硬貨払出装置２の基板６延出部６ａ下面６ｂと前記平ベルト８の上面８ａとの距離Ａを、硬貨払出装置２が取り扱うことのできる最小径を有する硬貨の直径よりも小さくすることによって、該硬貨が立つことを未然に防止することができる。
【選択図】          図４
0003101464.tif 000002
【実用新案登録請求の範囲】
【請求項１】
異種硬貨を金種別に重積状に収納する硬貨筒が並べて形成される硬貨払出装置と、
略水平状態に懸架され、該硬貨払出装置によって払い出される硬貨を搬送する平ベルトと、
を備え、
前記硬貨払出装置の基板延出部下面と、前記平ベルトの上面との間に形成される硬貨搬送空間に硬貨が払い出され、前記平ベルトの回動によって搬送される硬貨搬送装置において、
前記硬貨払出装置の基板延出部下面と前記平ベルトの上面との距離が、最小径硬貨の直径よりも小さくされる、
ことを特徴とする硬貨搬送装置。
【請求項２】
異種硬貨を金種別に重積状に収納する硬貨筒が並べて形成される硬貨払出装置と、
略水平状態に懸架され、該硬貨払出装置によって払い出される硬貨を搬送する平ベルトと、
を備え、
前記硬貨払出装置の基板延出部下面と、前記平ベルトの上面との間に形成される硬貨搬送空間に硬貨が払い出され、前記平ベルトの回動によって搬送される硬貨搬送装置、もしくは請求項１に記載の硬貨搬送装置において、
前記硬貨払出装置の基板下面に設置された硬貨搬出ガイド延出部下面と前記平ベルトの上面との距離が、最小径硬貨の直径の２分の１よりも小さくされる、
ことを特徴とする硬貨搬送装置。
【請求項３】
異種硬貨を金種別に重積状に収納する硬貨筒が並べて形成される硬貨払出装置と、
略水平状態に懸架され、該硬貨払出装置によって払い出される硬貨を搬送する平ベルトと、
を備え、
前記硬貨払出装置の基板延出部下面と、前記平ベルトの上面との間に形成される硬貨搬送空間に硬貨が払い出され、前記平ベルトの回動によって搬送される硬貨搬送装置、もしくは請求項２に記載の硬貨搬送装置において、
前記硬貨払出装置の基板下面に設置された硬貨搬出ガイド延出部の外縁角部は、Ｒ形状または傾斜形状とされる、
ことを特徴とする硬貨搬送装置。
【請求項４】
異種硬貨を金種別に重積状に収納する硬貨筒が並べて形成される硬貨払出装置と、
略水平状態に懸架され、該硬貨払出装置によって払い出される硬貨を搬送する平ベルトと、
該平ベルトの上面に形成される硬貨搬送空間を覆う上蓋と、
を備え、
前記硬貨搬送空間に硬貨が払い出され、前記平ベルトの回動によって搬送される硬貨搬送装置において、
前記硬貨搬送空間を覆う上蓋と前記平ベルトの上面との距離が、最小径硬貨の直径よりも小さくされる、
ことを特徴とする硬貨搬送装置。
【考案の詳細な説明】
【技術分野】
【０００１】
この考案は、例えば、バス等に搭載される運賃箱や両替器等、硬貨を搬送して放出させることを必要とする機械に用いられる硬貨搬送装置に関する。
【背景技術】
【０００２】
従来の硬貨搬送装置においては、金種別の硬貨筒に硬貨を重積状に収納し、投出指令に基づいて各硬貨筒の下端にある硬貨払出機構によって所定枚数の硬貨を平ベルト上に投出し、この平ベルトを駆動して硬貨を放出出口等の次工程へ搬送する搬送装置が用いられている。上記従来の装置では、平ベルト上に投げ出された硬貨が平ベルト上で立った場合、平ベルトから硬貨の落下を防ぐために設けられている側板等に寄りかかってその場で回転し、硬貨が送り出されないことがある。そのため、平ベルト上で硬貨が立った場合を考慮して平ベルトを余分に継続回転させ、すべての硬貨を排出させるようにしているが、それだけ硬貨処理に要する時間が長くなってしまうという問題があった。
【０００３】
そこで、実開平６−２５９６１に開示されている考案には、上記問題を解決するために平ベルト上で硬貨が立った場合であってもその硬貨を迅速確実に搬送することができる硬貨搬送装置を提供することを目的として、次のような対策を施している。即ち、前記平ベルト上の外平面上の一箇所に、該平ベルトの軸方向全域に及び、最大径硬貨の直径の少なくとも２分の１以上の高さを有する突堤部を設けることとしている。そして、平ベルトの上面側に硬貨を受け入れるときは、突堤部は待機位置に置かれており、硬貨受け入れ後、平ベルトの回動で硬貨をその下流側に搬送する。この平ベルトの回動で突堤部が上面側に現れ、側板等に寄りかかって回転し滞留している硬貨があっても、その突堤部の移動により取り払われ、同様に下流側へ搬送される。この平ベルトの１週回で上面側に残る硬貨は無くなり、すべて末端から排出される。
【０００４】
【特許文献１】実開平６−２５９６１号公報の全文
【考案の開示】
【考案が解決しようとする課題】
【０００５】
ところが、上記考案においては、平ベルト上に突堤部を設けなければならないため、標準仕様の安価な平ベルトを使用することができず、コストアップとなっていた。また、一回の処理毎に該平ベルトに設けられた突堤部を待機位置に移動させなければならず、これを検出するための位置センサ等を設置する必要があり、機器の複雑化およびコストアップの要因になっていた。
【０００６】
そこで本考案では、従来の装置の形状のままで、硬貨払出装置によって払い出された硬貨が側板等に寄りかかって回転し滞留することを防ぐことを可能とする硬貨搬出装置を提供することを目的とする。
【課題を解決するための手段】
【０００７】
前記目的を達成するために、請求項１に記載の硬貨搬出装置は、
異種硬貨を金種別に重積状に収納する硬貨筒が並べて形成される硬貨払出装置と、
略水平状態に懸架され、該硬貨払出装置によって払い出される硬貨を搬送する平ベルトと、
を備え、
前記硬貨払出装置の基板延出部下面と、前記平ベルトの上面との間に形成される硬貨搬送空間に硬貨が払い出され、前記平ベルトの回動によって搬送される硬貨搬送装置において、
前記硬貨払出装置の基板延出部下面と前記平ベルトの上面との距離が、最小径硬貨の直径よりも小さくされる、
ことを特徴とする。
【０００８】
また、請求項２に記載の硬貨搬出装置は、
異種硬貨を金種別に重積状に収納する硬貨筒が並べて形成される硬貨払出装置と、
略水平状態に懸架され、該硬貨払出装置によって払い出される硬貨を搬送する平ベルトと、
を備え、
前記硬貨払出装置の基板延出部下面と、前記平ベルトの上面との間に形成される硬貨搬送空間に硬貨が払い出され、前記平ベルトの回動によって搬送される硬貨搬送装置、もしくは請求項１に記載の硬貨搬送装置において、
前記硬貨払出装置の基板下面に設置された硬貨搬出ガイド延出部下面と前記平ベルトの上面との距離が、最小径硬貨の直径の２分の１よりも小さくされる、
ことを特徴とする。
【０００９】
また、請求項３に記載の硬貨搬出装置は、
異種硬貨を金種別に重積状に収納する硬貨筒が並べて形成される硬貨払出装置と、
略水平状態に懸架され、該硬貨払出装置によって払い出される硬貨を搬送する平ベルトと、
を備え、
前記硬貨払出装置の基板延出部下面と、前記平ベルトの上面との間に形成される硬貨搬送空間に硬貨が払い出され、前記平ベルトの回動によって搬送される硬貨搬送装置、もしくは請求項２に記載の硬貨搬送装置において、
前記硬貨払出装置の基板下面に設置された硬貨搬出ガイド延出部の外縁角部は、Ｒ形状または傾斜形状とされる、
ことを特徴とする。
【００１０】
また、請求項４に記載の硬貨搬出装置は、
異種硬貨を金種別に重積状に収納する硬貨筒が並べて形成される硬貨払出装置と、
略水平状態に懸架され、該硬貨払出装置によって払い出される硬貨を搬送する平ベルトと、
該平ベルトの上面に形成される硬貨搬送空間を覆う上蓋と、
を備え、
前記硬貨搬送空間に硬貨が払い出され、前記平ベルトの回動によって搬送される硬貨搬送装置において、
前記硬貨搬送空間を覆う上蓋と前記平ベルトの上面との距離が、最小径硬貨の直径よりも小さくされる、
ことを特徴とする。
【考案の効果】
【００１１】
請求項１に記載の硬貨搬出装置によれば、
前記硬貨払出装置の基板延出部下面と前記平ベルトの上面との距離が、最小径硬貨の直径よりも小さくされるので、硬貨搬送空間の縦方向の距離が従来よりも小さくなった。その結果、最小径の硬貨であっても、側板等に寄りかかって硬貨が立たなくなるため、硬貨の回転等による滞留を防止できる。
【００１２】
また、請求項２に記載の硬貨搬出装置によれば、
前記硬貨払出装置の基板下面に設置された硬貨搬出ガイド延出部下面と前記平ベルトの上面との距離が、最小径硬貨の直径の２分の１よりも小さくされると、硬貨払出装置の基板下面と硬貨搬出ガイド側面とによって囲まれる角部に、硬貨が引っかかり固着して搬送できなくなるという問題を回避できる。
【００１３】
また、請求項３に記載の硬貨搬出装置によれば、
前記硬貨払出装置の基板下面に設置された硬貨搬出ガイド延出部の外縁角部は、Ｒ形状または傾斜形状とされるので、硬貨払出装置の基板下面と硬貨搬出ガイド側面とによって囲まれる角部に硬貨が引っかからなくなる。その結果、硬貨が引っかかり固着して搬送できなくなるという問題を回避できる。
【００１４】
また、請求項４に記載の硬貨搬出装置によれば、
前記硬貨搬送空間を覆う上蓋と前記平ベルトの上面との距離が、最小径硬貨の直径よりも小さくされるので、硬貨搬送空間の縦方向の距離が従来よりも小さくなった。その結果、最小径の硬貨であっても、側板等に寄りかかって硬貨が立たなくなるため、硬貨の回転等による滞留を防止できる。
【００１５】
以上の考案の硬貨搬送装置によって、従来の装置の形状のままで、硬貨払出装置によって投げ出された硬貨が側板等に寄りかかって回転し滞留することを防ぐことが可能となる。
【考案を実施するための最良の形態】
【００１６】
本考案における実施例について図１〜７を用いて説明する。なお、各図の同様な構成要素に付した符号は同一としてある。
【実施例１】
【００１７】
本実施例において、図１は、硬貨払出装置２から一枚ずつ払い出される硬貨３を、硬貨搬出機構４が受け取って後流側へ搬送し、その硬貨を上方の硬貨放出口１９から放出する機構に適用した硬貨搬送装置１の基本構造を示している。
【００１８】
硬貨払出装置２は、硬貨３を金種別に重積状に収納する４本の硬貨筒５が基板６によって横方向に列設保持されており、各硬貨筒５の下端と対応する位置には、硬貨払出機構７が個別に設けられている（図２参照）。
【００１９】
この硬貨払出機構７は、図２に示されるように、図示しないモータに接続された回転板７ａが矢印方向に回転することで、回転板７ａに突設された突柱７ｂによって、硬貨押出板７ｃが動かされ、硬貨筒５に収納された最下部に位置する硬貨３が、硬貨払出口５ａより該硬貨押出板７ｃによって押されて、平ベルト８上面に投げ出される。各々の硬貨払出口５ａの両側には、硬貨搬出ガイド５ｂ、５ｂが設置されており、硬貨３が投げ出される方向を確定している。
【００２０】
硬貨搬送機構４は、プーリー９、１０間に巻き付けられ回転駆動し、硬貨３を搬送する平ベルト８と、プーリー１１、１２間に巻き付けられ回転駆動する平ベルト１３と、各平ベルト８、１３を支える複数のローラー１４と、硬貨放出口１９とから形成されている。図示しないモータの駆動によって複数の歯車を介して取り付けられているプーリー９、１１が回転することによって、平ベルト８、１３が同じ速度で互いに滑ることなく回動する。平ベルト８上に投げ出された硬貨３は、図１の左方向に搬送され、平ベルト８と平ベルト１３の間に挟持されながら上方へ搬送され、硬貨放出口１９へ送られる。
【００２１】
図３は、従来から問題であった硬貨３の回転による滞留の状態を示している。硬貨払出装置２より払い出され、平ベルト８上に投げ出された硬貨３が平ベルト８上で立った場合、硬貨３の落下を防ぐために設けられている側板１５に寄りかかってその場で回転し、硬貨が送り出されないことがある。
【００２２】
その原因として、硬貨払出装置２の基板延出部下面６ａと前記平ベルト８の上面８ａとの距離、即ち、硬貨搬送空間１６の縦方向の距離Ａが、硬貨３の外径よりも大きい場合に硬貨３が立って、さらに側板１５に寄りかかり、図３に示すように回転することが明らかになった。そこで、本実施例では、硬貨払出装置２が取り扱うことのできる最小径を有する硬貨の直径Ｙよりも、距離Ａを小さくすることによって、該硬貨が立つことを未然に防止することができた（図４参照）。
【実施例２】
【００２３】
実施例１では、硬貨払出装置２の基板延出部下面６ａが、略平面状である仕様を示しているが、硬貨払出装置２に設置されている硬貨搬出ガイド５ｂが、硬貨搬送空間１６の上部まで延出している仕様があり、硬貨搬送空間１６の上部は略平面上にならず、立ち上がろうとする硬貨が、この延出した硬貨搬出ガイド５ｂの延出部５ｃに引っかかることがある。この場合、硬貨３がいったん立って倒れようとする場合や、バウンドしてある傾斜角度を保持して立ち上がろうとする際において、硬貨払出装置２の基板６ａ下面６ｂと硬貨搬出ガイド５ｂの側面５ｄとによって囲まれる角部１７に、硬貨３が引っかかり固着して搬送できなくなるという問題があった（図５参照）。
【００２４】
そこで、硬貨３がバウンドして必要以上に傾斜しないように、硬貨払出装置２の基板６ａ下面に設置された硬貨搬出ガイド５ｂの延出部５ｃ下面５ｅと前記平ベルト８の上面８ａとの距離Ｂ（図５参照）を、硬貨３表面と平ベルト８の上面８ａとの傾斜角度θが３０°以下になる距離とすると、硬貨３が角部１７に引っかかるようになるまで硬貨が立たないことが実験により明らかとなった。そこで、本考案では、硬貨払出装置２の基板下面６ａに設置された硬貨搬出ガイド５ｂの延出部５ｃ下面５ｅと前記平ベルト８の上面８ａとの距離Ｂを、最小径硬貨の直径Ｙのｓｉｎ３０°、即ち、１／２よりも小さくすることによって、角部１７に硬貨３が引っかかり固着して搬送できなくなるという問題を回避できた。
【実施例３】
【００２５】
上記問題を解決する別の対策として、次のような実施例がある。即ち、従来、硬貨払出装置２の基板下面６ａに設置された硬貨搬出ガイド５ｂの延出部５ｃの外縁角部５ｆは、角を有するＬ型形状となっていた（図５参照）が、これを傾斜形状（図６（ａ）参照）またはＲ形状（図６（ｂ）参照）とすると、角部１７に引っかかろうとした硬貨３が硬貨搬出ガイド５ｂの延出部５ｃの側面５ｄが傾斜形状またはＲ形状となっているため、引っかからずに倒れるようになる。その結果、硬貨３が引っかかり固着して搬送できなくなるという問題を回避できるようになった。
【００２６】
以上示した実施例によって、従来の装置の形状のままで、硬貨払出装置２によって払い出された硬貨３が側板１５等に寄りかかって回転し滞留することを防ぐことが可能となる。
【００２７】
（応用例）
なお、本考案は上記の実施例に限定するものではなく、本考案の要旨を変更しない範囲で様々な応用が可能である。上述した各実施例では、各々の実施例を単独で実施しているが、これらを組み合わせて実施することも可能である。また、上記実施例においては、硬貨払出装置２の基板６が、硬貨搬送空間１６上部に延出している仕様について実施されているが、硬貨払出装置２の基板６延出部６ａが無い仕様もある。その場合、上述した硬貨３が立って回転することによって滞留するという同様な問題が発生する。その対策として、実施例１における該硬貨払出装置２の基板６延出部６ａに位置する箇所に、前記硬貨搬送空間１６を覆う上蓋１８を取り付けることによって、実施例１と同様な効果を得ることができる。即ち、硬貨搬送空間１６を覆う上蓋１８と前記平ベルトの上面との距離Ｃを、最小径硬貨の直径Ｙよりも小さくする（図７参照）ことによって、硬貨搬送空間１６の縦方向の距離Ｃが従来よりも小さくなる。その結果、最小径の硬貨であっても、側板１７等に寄りかかって硬貨３が立たなくなるため、硬貨３の回転等による滞留を防止できる。なお、上蓋１８は、側板１５と別体となっているが、一体にして形成してもよい。
【図面の簡単な説明】
【００２８】
【図１】本考案の硬貨搬送装置の概略図である。
【図２】図１における略Ｘ−Ｘ断面図である。
【図３】従来の硬貨が滞留する状況を示した図である。
【図４】実施例１における硬貨搬送装置の略断面図である。
【図５】実施例２における硬貨搬送装置の正面図および略断面図である。
【図６】実施例３における硬貨搬送装置の正面図である。
【図７】応用例における硬貨搬送装置の略断面図である。
【符号の説明】
【００２９】
１…硬貨搬出装置、２…硬貨払出装置、３…硬貨、４…硬貨搬出機構、５…硬貨筒、５ａ…硬貨払出口、５ｂ…硬貨搬出ガイド、５ｃ…硬貨搬出ガイドの延出部、５ｄ…硬貨搬出ガイドの側面、５ｅ…硬貨搬出ガイドの延出部下面、５ｆ…硬貨搬出ガイドの延出部外縁角部、６…基板、６ａ…基板延出部、６ｂ…基板延出部下面、７…硬貨払出機構、７ａ…回転板、７ｂ…突柱、７ｃ…硬貨押出板、８、１３…平ベルト、８ａ…平ベルト上面、９、１０，１１，１２…プーリー、１４…ローラー、１５…側板、１７…角部、１８…上蓋、１９…硬貨放出口、Ａ、Ｂ、Ｃ…硬貨搬送空間の縦方向の距離、Ｙ…最小径を有する硬貨の直径。
【図１】
0003101464.tif 000003
【図２】
0003101464.tif 000004
【図３】
0003101464.tif 000005
【図４】
0003101464.tif 000006
【図５】
0003101464.tif 000007
【図６】
0003101464.tif 000008
【図７】
0003101464.tif 000009